(57)【特許請求の範囲】
【請求項１】
注射針（３）を支持した基体（１ｃ）にスライド可能かつ抜け止め連結して備えられた小径の第３のスライド管（１ａ３）の外側に中径の第２のスライド管（１ａ２）をスライド可能かつ抜け止め連結して備え、この中径の第２のスライド管（１ａ２）の外側に大径の第１のスライド管（１ａ１）をスライド可能かつ抜け止め連結して備え、この大径のスライド管（１ａ１）にカテーテルハブ（２ａ）を着脱自在に嵌合したマウンテンハブ（１ｂ）を備えた構成の安全留置針であって、前記第１，第２，第３のスライド管（１ａ１，１ａ２，１ａ３）をスライドして最長に引き出したときに、前記第１，第２のスライド管（１ａ１，１ａ２）が収縮状態に戻らないようにロックするための楔状のストッパー（９）を前記第２，第３のスライド管（１ａ２，１ａ３）にそれぞれ備え、かつ前記マウンテンハブ（１ｂ）に、前記第１のスライド管（１ａ１）を常態においては、外端縁側が前記スライド管（１ａ１）の外周面より突出している状態で開口状態を保持し、前記外端縁を、手指では引き出すことができないように手指で前記スライド管（１ａ１）内に押し込んだ状態で閉塞するシャッター（１０）を備えていることを特徴とする安全留置針。
【請求項２】
請求項１に記載の安全留置針において、前記第１，第２，第３のスライド管（１ａ１，１ａ２，１ａ３）の伸長動作を加重部材（１２）の重さで行うために、前記基体（１ｃ）に上記加重部材（１２）を備えていることを特徴とする安全留置針。
【請求項３】
請求項１又は２に記載の安全留置針において、前記第１，第２のスライド管（１ａ１，１ａ２）を最長に引き出したときに前記第１，第２のスライド管（１ａ１，１ａ２）の間に抜け落ちないように圧接力を作用させるために、前記第１，第２のスライド管（１ａ１，１ａ２）を先端側に向けて漸次太く形成してあることを特徴とする安全留置針。
【発明の詳細な説明】
【０００１】
【発明の属する技術分野】
本発明は、使用済みの注射針を安全かつ簡単に廃棄保持することができる安全留置針の改良に関し、更に詳しくは、ハウジングがコンパクトに縮まった状態で使用できると共に、使用後はハウジング自体を伸長させるだけの簡単操作で、使用済み針に触れることなくそのまま収容保持（廃棄保持）できる有用な安全留置針に存する。
【０００２】
【従来の技術】
従来、斯かる安全留置針としては、例えば、特公平５−８８６２７号報に開示されたものが従来例として周知である。この安全留置針は、側壁及び側壁に画成された止め側壁を有すると共に後方に閉じた端部及び解放端部を有する細長いハウジングと、前記ハウジングの内部に取り付けられ、かつ、一方端において前記ハウジングの閉じた端部に取り付けられて前記解放端部を通って突出する針と、前記ハウジング内に摺動可能に取り付けれると共に、その前方端にプルタブと前記ハウジングの前記側壁とに接触すべく外方に付勢されたロック部と、その前端において開口を画成する前方開口部材とを設けてなる針ガード及び／又はハンドル部材とを備えている。
【０００３】
【発明が解決しようとする課題】
しかしながら、上述した特公平５−８８６２７号公報に開示されている安全留置針にあっては、特に使用前の状態、すなわち、針をキャップカバー内に収納させている状態でも、後端側に針全体を許容する大きさのハウジングが配置されるため、全体的に大きくなってしまうといった問題を有すると共に、ハウジングとは別体の針ガードやハンドル部材を摺動自在に組み付けなければならないといった手間をも有するものである。
【０００４】
本発明は、このような従来の問題点に鑑みてなされたもので、摺動・組み付けに手間のかかる従来の針ガード等を一切使用することなく、頗る簡単な手段でもって、ハウジングがコンパクトに収縮された状態で使用できると共に、使用後はハウジング自体を伸長させるだけの簡単操作で、針に触れることなくそのまま廃棄保持することができる、操作性の良い安全留置針の提供を目的としたものである。
【０００５】
【課題を解決するための手段】
本発明は、前述のごとき問題に鑑みてなされたもので、注射針（３）を支持した基体（１ｃ）にスライド可能かつ抜け止め連結して備えられた小径の第３のスライド管（１ａ３）の外側に中径の第２のスライド管（１ａ２）をスライド可能かつ抜け止め連結して備え、この中径の第２のスライド管（１ａ２）の外側に大径の第１のスライド管（１ａ１）をスライド可能かつ抜け止め連結して備え、この大径のスライド管（１ａ１）にカテーテルハブ（２ａ）を着脱自在に嵌合したマウンテンハブ（１ｂ）を備えた構成の安全留置針であって、前記第１，第２，第３のスライド管（１ａ１，１ａ２，１ａ３）をスライドして最長に引き出したときに、前記第１，第２のスライド管（１ａ１，１ａ２）が収縮状態に戻らないようにロックするための楔状のストッパー（９）を前記第２，第３のスライド管（１ａ２，１ａ３）にそれぞれ備え、かつ前記マウンテンハブ（１ｂ）に、前記第１のスライド管（１ａ１）を常態においては、外端縁側が前記スライド管（１ａ１）の外周面より突出している状態で開口状態を保持し、前記外端縁を、手指では引き出すことができないように手指で前記スライド管（１ａ１）内に押し込んだ状態で閉塞するシャッター（１０）を備えていることを特徴とするものである。
【０００６】
また、前記安全留置針において、前記第１，第２，第３のスライド管（１ａ１，１ａ２，１ａ３）の伸長動作を加重部材（１２）の重さで行うために、前記基体（１ｃ）に上記加重部材（１２）を備えていることを特徴とするものである。
【０００７】
また、前記安全留置針において、前記第１，第２のスライド管（１ａ１，１ａ２）を最長に引き出したときに前記第１，第２のスライド管（１ａ１，１ａ２）の間に抜け落ちないように圧接力を作用させるために、前記第１，第２のスライド管（１ａ１，１ａ２）を先端側に向けて漸次太く形成してあることを特徴とするものである。
【００２４】
【発明の実施の形態】
次に、本発明の第１実施例を図１乃至図６を参照しながら説明する。図中Ａは、本発明に係る安全留置針であり、この安全留置針Ａは、図１に示すように、伸縮自在に形成されたハウジング１と、該ハウジング１の先端側に組み付けられたカテーテル２と、該カテーテル２の先端側に向けて出没自在に配設された注射針３と、前記カテーテルの先端側に被装されるキャップカバー４と、前記ハウジング１の後端側に被装される外装ケース５とを備えている。
【００２５】
前記ハウジング１は、合成樹脂材若しくは金属等の適宜素材からなる短筒状のスライド管１ａ1 、１ａ2 、１ａ3 を抜け止め連結してなるスライドカバーからなり、長手方向に伸縮できるように組み付けられている。
【００２６】
換言すれば、このスライドカバーは、互いに径の異なる短筒のスライド管を内接嵌合してなり、第一番目（大径）のスライド管１ａ1 の中に第二番目（中径）のスライド管１ａ2 が、第二番目のスライド管１ａ2 の中に第三番目（小径）のスライド管１ａ3 がそれぞれ収容できるように抜け止め連結されている。
【００２７】
また、このスライド管１ａ1 、１ａ2 、１ａ3 の抜止手段としては、例えば、内挿される側のスライド管１ａ2 、１ａ3 を基端（上端）側に向けて漸次太くなるように形成することで、末端（下端）側には抜け落ちないように圧接力（以下、単に抜止圧接力という）が協動するものである。
【００２８】
従って、一旦、このスライド管１ａ2 、１ａ3 同士が最長に引き出されて抜止圧接力が協動した場合は、この抜止圧接力に抗してスライド管１ａ2 、１ａ3 を押し戻さない限り、ハウジング１が安易に収縮されることはない。
【００２９】
更に、このハウジング１の先端側にはマウンテンハブ１ｂが、後端側には針を支持するための基体（フィルターアダプター）１ｃがそれぞれ固着されている。
【００３０】
前記マウンテンハブ１ｂは、前記第一番目のスライド管１ａ1 の先端に固着されており、後述の針を挿通するための孔（以下、単に固定開孔という）１ｂ1 が穿設されている。
【００３１】
また、このマウンテンハブ１ｂの周面には、後述するカテーテルハブ２ａ内に抜け止めするための係合片１ｂ2 ，１ｂ2 が突設されている。この係合片１ｂ2 ，１ｂ2 は、上から外接嵌合されたカテーテルハブ２ａを周方向に回動させることにより同カテーテル２を抜止状態にロックし、逆方向に回動させることにより斯かる抜止状態を解除せしめるように突設されている。
【００３２】
更に、基体１ｃは、先端部１ｃ1 側が前記第三番目のスライド管１ａ3 の中に抜け止めされており、後端側に大径の操作部１ｃ2 が突設されている。前記先端部１ｃ1 は、ハウジング１が伸縮されている状態では、図３及び図４に示すように、前記ハウジング１のマウンテンハブ１ｂ内にまで臨み、針をカテーテル２内に押し入れるだけの有効長を有するものである。
【００３３】
また、基体１ｃの操作部１ｃ2 は、ハウジング１を伸縮させる際に、手指に握持されるものであり、後端側に引っ張るだけで、前記スライド管１ａ1 、１ａ2 、１ａ3 を最長状態にまで引き出すことができる（図５及び図６参照）。
【００３４】
一方、カテーテル２は、基端側が大径のカテーテルハブ２ａに連通支持されており、前記固定開孔１ｂ1 と同心配置になるべく前記マウンテンハブ１ｂ上に着脱自在に嵌合されている。
【００３５】
更に、針３は、例えば、クロム鋼製の如き常套な金属針からなり、下端側を前記基体１ｃ（詳しくは、基体１ｃの先端部１ｃ1 の遊端面）に埋設することにより、抜け止め固定されている。
【００３６】
キャップカバー４は、合成樹脂材等の適宜素材からなり、カテーテル２の全体を被装すべく外装ケース５の上端開口に着脱自在に嵌合されるものである。
【００３７】
外装ケース５は、ハウジング１及び操作部１ｃを許容する大きさに形成されており、前記キャップカバー４が被冠されることによって、前記カテーテル２も一緒に被装するものである。
【００３８】
換言すれば、これらキャップカバー４と外装ケース５とは、互いに嵌合されることにより（図２参照）、コンパクトサイズの内容物すなわち収縮状態のハウジング１、カテーテル２（針３を含む）及び操作部１ｃを気密に入れ置くことができるものであり、従来のシールドカバー（パウチ状の外装シール材）の役目をも兼用するものである。
【００３９】
従って、ハウジング１を収縮させた状態で、仮令、針３がカテーテル２内に押し出されいても、針３が刺さらないように頭側をキャップカバー４にて保護できると共に、尻側は（同ハウジング１の後端側は）外装ケース５にて引き出し不能状態に保護できるので、頗る安全である。
【００４０】
また、互い（キャップカバー４と外装ケース５と）の連結部分（外周面）を、シールドテープ（図示せず）等で封印することにより、消毒処理済みのカテーテル２及び針３の（衛生的）保護のみならず、斯かるシールドテープの切断の有無によって、使用済みか否かの判断になることは云うまでもない。
【００４１】
更に、この伸縮自在なハウジング１には、ロック手段が兼備されている。このロック手段は、ハウジング１が伸長された際に、同ハウジング１を不変状態すなわち収縮不可能状態に保持し、意に反して針３がハウジング外に突出してしまうのを防止するものである。
【００４２】
このロック手段としては、部品点数を増やすことなく付設するのが良く、例えば、ハウジング１の先端に突設されたマウンテンハブ１ｂ内に段差部１ｂ3 （図３参照）を形成するだけでも可能である。
【００４３】
この段差部１ｂ3 は、ハウジング１が最大に伸長された際に（或いは一旦、水平に倒すだけで）針３の先端側が自重により偏向して針先と衝合するように形成されている。
【００４４】
従って、図６に示すように、この段差部１ｂ3 に、一旦、針先が落ち込み衝合してしまうと、同針３が、所謂、突張棒となり、また、スライド管１ａ1 、１ａ2 、１ａ3 の各接合部分に抜止圧接力が協動することも相俟って、ハウジング１の収縮方向への摺動を確実に阻止することができ、また、安易に軸心方向に針３が戻ることもない。
【００４５】
尚、この針３の戻りをより確実に阻止するために、逆ハ状の返り（図示せず）を予め固定開孔１ｂ1 下に内設しておいても良く、決して本実施例に限定されるものではない。
【００４６】
このように構成される本発明の安全留置針Ａは、まず、使用する際（注射又は採血の時）は、図１に示すように、キャップカバー４と外装ケース５とを外して内容物を取り出した後、カテーテル２から針３の先端を突出させた状態で、患者の身体に刺針する。
【００４７】
次いで、カテーテル２を患者に刺し置いた状態で、針３を抜き取るべくハウジング１を下方に引っ張るだけで、同針３は、カテーテル２内から抜けると共に、ハウジング１もカテーテル２から円滑に離脱することができる（図４参照）。
【００４８】
次いで、ハウジング１の第一スライド管１ａ1 を一方の手指に持った状態で、他の手指で操作部１ｃを更に同方向へ引っ張るだけの簡単操作で、図５(ｂ)に示すように、他のスライド管１ａ2 、１ａ3 が最大に伸長されるべく引き出されるや否や、針３が（手に触れることなく）同ハウジング１内に廃棄保持されると共に、針先側が自重により段差部１ｂ3 に（落ち込んで）衝合し（図６参照）、また、スライド管１ａ1 、１ａ2 、１ａ3 の各接合部分の抜止圧接力が協動されることも相俟って、ハウジング１を不変状態にロックするものである。
【００４９】
従って、一旦、伸長されたハウジング１内に廃棄保持した針３が、意に反して固定開孔１ｂ1 から外に突出することがなく、従来の如き刺針事故の危惧をも確実に解消できる。
【００５０】
しかも、使用前は、ハウジング１を短寸に収縮させた状態に保持できると共に、使用後はハウジング１自体を伸長させるだけの簡単操作で、針３をそのまま廃棄保持できるなど、従来の安全留置針に比し、サイズがよりコンパクト化され、操作性も頗る良くなったものである。
【００５１】
次に、本発明に係る安全留置針の第２実施例を図７を参照しながら説明する。尚、理解を容易にするため、前述した第１実施例と同一部分は同一符号で示し、構成の異なる処のみを新たな番号を付して以下に説明する。
【００５２】
図７(ａ)は、針３を被装すべくカテーテル２を挿着した状態を示す同安全留置針Ｂの説明図であり、フィルターアダプター６にルアージョイント７を介して伸縮自在なハウジング１が螺着されている。
【００５３】
ルアージョイント７は、図７(ｂ)に示すように、針３を支持する中空環状の基体１ｃに連設されており、後述するハウジング１の雄螺旋部８と着脱自在に螺合される雌螺旋部を構成するものである。
【００５４】
ハウジング１は、図７(ｃ)に示すように、第１実施例と同様、第一のスライド管１ａ1 内に第二スライド管１ａ2 が収まるべく軸方向に伸縮自在に組み付けられており、前記第一スライド管１ａ1 の後端側に雄螺旋部８が装着されている。
【００５５】
この雄螺旋部８は、長軸方向のズレを防止すべく前記ルアージョイント７に螺合されるものであり、周方向に回転させることで、例えば、右回転でロックされ、左回転でロック解除できるように組み付けられるものである。
【００５６】
従って、このハウジング１を伸長させるには、この部分のロック状態を解除させない限りスライド管１ａ1 ，１ａ2 同士をスライドさせることはできず、また、一旦、最長にスライドさせたら最後、元の収縮状態（短寸状態）に戻らないように、第二スライド管１ａ2 及び基体１ｃの外周面に楔状のストッパー（ロック機構）９，９が突設されている。
【００５７】
このように構成される本発明の安全留置針Ｂは、まず、カテーテル２を装着させた状態（図７(ｄ)参照）で、患者の身体に穿刺（刺針）した後、フィルターアダプター６への血液のバックフローを確認する。
【００５８】
然る後、ルアージョイント８を手指に持って固定し、ハウジング１の第一スライド管１ａ1 を左側に回転させることで、同ルアージョイント８とのロック状態を解除させる。
【００５９】
そして、ルアージョイント８を持って固定し、ハウジング１（詳しくは、第一スライド管１ａ1 ）を前方（長軸方向）にスライドさせてカテーテル（キャセーター）２を血管内に送り込み、最後は、針３を完全にハウジング１内に引き込むべく廃棄保持できるのである。
【００６０】
換言すれば、このハウジング１は、斯かる伸長操作により、第一スライド管１ａ1 に内設している第二スライド管１ａ2 が基体１ｃ上をスライドして先端側に抜け止めされるや否や（図７(ｅ)参照）、追従して第一スライド管１ａ1 が第二スライド管１ａ2 上をスライドし、互いのスライド管１ａ1 ，１ａ2 が略最大限に伸長された状態で、針３全体を（手に触れることなく）同ハウジング１内に廃棄保持できるものであり（図７(ｆ)参照）、かつ、前記ストッパー９，９との抜止係合により、ハウジング１を不変状態（収縮不能状態）にロック保持できるのである。
【００６１】
次に、本発明に係る安全留置針の第３実施例を図８を参照しながら説明する。尚、理解を容易にするため、前述した第１及び第２実施例と同一部分は同一符号で示し、構成の異なる処のみを新たな番号を付して以下に説明する。
【００６２】
図８(ａ)は、カテーテル２を挿着した状態を示す同安全留置針Ｃの説明図であり、第２実施例と同様、フィルターアダプター６にルアージョイント７を介して伸縮自在なハウジング１が螺着されている。
【００６３】
ルアージョイント７には、図８(ｂ)に示すように、長針３の基端側が直接的に連結支持されており、手元側で血液の所謂バックフローが確認できるように構成されている。
【００６４】
また、このルアージョイント７は、内側にハウジング１の雄螺旋部８と着脱自在に螺合される雌螺旋が形成されており、ハウジング１を、第２実施例と同様、周方向に回転させることで（右回転で互いが分離不能状態にロックされ、左回転でそのロックを解除できるように）連結されるものである。
【００６５】
更に、ハウジング１は、図８(ｃ)に示すように、第一のスライド管１ａ1 内に第二スライド管１ａ2 と第三スライド管１ａ3 とが収まるべく軸方向に伸縮自在に組み付けられており、前記第一スライド管１ａ1 の後端側に雄螺旋部８が装着されている。
【００６６】
また、このハウジング１には、互いのスライド管１ａ1 ，１ａ2 ，１ａ3 を、一旦、最長状態にスライドさせたら最後、カチッとロックされて元の収縮状態（短寸状態）に戻らないように、内挿される第二スライド管１ａ2 及び第三スライド管１ａ3 の外周面に楔状のストッパー９，９が突設されている。
【００６７】
更に、図８(ｅ)に示すように、ハウジング１を最長に伸ばした状態で針３を廃棄保護する際、マウンテンハブ１ｂの先端から針３が突出しないように同ハブ１ｂを長くして内側に最低３〜７ｍｍの空間Ｓを確保している。
【００６８】
このように構成される本発明の安全留置針Ｃは、前実施例と同様、カテーテル２を装着させた状態（図８(ａ)参照）で、患者の身体に穿刺（刺針）した後、フィルターアダプター６への血液のバックフローを確認し、然る後、針３部分を固定し、カテーテル（キャセーター）２を血管内に送り込む。
【００６９】
次いで、このカテーテル２を血管内に留置させた状態で、針３のみを抜き取り、ルアージョイント８を手指に持って固定し、ハウジング１の第一スライド管１ａ1 を左側に回転させることで、同ルアージョイント８とのロック状態を解除せしめる。
【００７０】
そして、ハウジング１（詳しくは、第一スライド管１ａ1 ）を持って固定し、ルアージョイント８を手前側に引き込むことにより、針３を（手に触れることなく）完全にハウジング１内に廃棄保持できるのである（図８(ｅ)参照）。
【００７１】
次に、本発明に係る安全留置針の第４実施例を図９を参照しながら説明する。尚、理解を容易にするため、前述した第１乃至第３実施例と同一部分は同一符号で示し、構成の異なる処のみを新たな番号を付して以下に説明する。
【００７２】
図９(ａ)は、カテーテル２を挿着した状態を示す同安全留置針Ｄの説明図であり、第２実施例と同様、フィルターアダプター６にルアージョイント７を介して伸縮自在なハウジング１が螺着されている。
【００７３】
ルアージョイント７には、図９(ｂ)に示すように、先端側（中程）でバックフローが確認できるように管状の基体１ｃを介して針３が固定されている。
【００７４】
また、このルアージョイント７は、前実施例と同様、内側にハウジング１の雄螺旋部８と着脱自在に螺合される雌螺旋が形成されており、ハウジング１を、周方向に回転させることで（右回転で互いが分離不能状態にロックされ、左回転でそのロックを解除できるように）連結・分離自在に取り付けされるものである。
【００７５】
更に、ハウジング１は、図９(ｃ)に示すように、第一のスライド管１ａ1 内に第二スライド管１ａ2 が収まるべく軸方向に伸縮自在に組み付けられており、前記第一スライド管１ａ1 の後端側に雄螺旋部８が装着されている。
【００７６】
また、このハウジング１には、互いのスライド管１ａ1 ，１ａ2 を、一旦、最長状態にスライドさせたら最後、カチッとロックされて元の収縮状態（短寸状態）に戻らないように、内挿される第二スライド管１ａ2 及び基体１ｃの外周面に楔状のストッパー９，９が突設されている。
【００７７】
従って、フィルターアダプター６を基軸に外装の第一スライド管１ａ1 を左側に回転させることで、前記ルアージョイント８とのロック状態が解除されてハウジング１が伸長可能状態になる。
【００７８】
そして、同第一スライド管１ａ1 を長軸方向に伸ばすことで、内側の第二スライド管１ａ2 が基体１ｃ上をスライドして同基体１ｃの先端側に抜け止めされるや否や、次いで、第一スライド管１ａ1 が同第二スライド管１ａ2 上をスライドし、かつ、各スライド管１ａ1 ，１ａ2 が、最長状態に伸長されると同時に、前記ストッパー９，９によりカチッと不変状態にロックされ、針３を（手に触れることなく）ハウジング１内に廃棄保持するのである。
【００７９】
次に、本発明に係る安全留置針の第５実施例を図１０を参照しながら説明する。尚、理解を容易にするため、前述した第１乃至第４実施例と同一部分は同一符号で示し、構成の異なる処のみを新たな番号を付して以下に説明する。
【００８０】
図１０(ａ)は、ハウジング１の伸縮状態を示す説明図であり、第一スライド管１ａ1 内に第二スライド管１ａ2 と第三スライド管１ａ3 とが収まるべく軸方向に伸縮自在に組み付けられており、第一スライド管１ａ1 の後端側に雄螺旋部８が装着されている。
【００８１】
また、各スライド管１ａ1 ，１ａ2 ，１ａ3 は、図１０(ｂ)に示すように、接合部分を逆テーパー面１ｄを周設することにより抜け止めされており、かつ、意に反して元の収縮状態（短寸状態）に戻らないように、内挿される第二スライド管１ａ2 及び第三スライド管１ａ3 の外周面に楔状のストッパー（第一ロック手段）９が突設されている。
【００８２】
更に、このハウジング１（詳しくは、第一スライド管１ａ1 ）の先端側には、第二のロック手段であるシャッター１０，１０が装着されている。このシャッター１０，１０は、意に反したスライド管１ａ1 ，１ａ2 ，１ａ3 の収縮動作による針３の突出を阻止するものであり、図１０(ｅ)(ｆ)に示すように、スライド管１ａ1 の径方向に手指で圧接摺動できるように組み付けられている。
【００８３】
すなわち、シャッター１０，１０は、外端縁側がスライド管１ａ1 の外周面より突出している状態では、同スライド管１ａ1 の軸心孔を開口させたままでマウンテンハブ１ｂ内と連通し（図１０(ｅ)参照）、前記外端縁を圧接力に抗してスライド管１ａ1 内に押し込んだ状態では、マウンテンハブ１ｂ内への連通を阻止すべく同スライド管１ａ1 の軸心孔を完全に閉塞するものである（図１０(ｆ)参照）。
【００８４】
従って、一旦、押し込まれたシャッター１０，１０は、簡単に手指では引き出すことができないため、仮令、スライド管１ａ1 ，１ａ2 ，１ａ3 がストッパー９に抗して収縮動作されたとしても、針先がシャッター１０，１０に当接されてこれより先の移動を阻止するため、意に反した使用済み針の刺針事故を二重に防止できるものである。
【００８５】
換言すれば、この保護装置は、一旦、ハウジング１内に針３を引き込んだ後は、各スライド管１ａ1 ，１ａ2 ，１ａ3 が前記ストッパー９，９にてロックされるため、再び外に出ることはないのであるが、更に安全を確保するために、このシャッター１０，１０を強制的に閉じる場合があり、また、このシャッター１０，１０は、針３に付着した微量の血液等を外部に漏らさない程度の密閉度を持っているものであり、マウンテンハブ１ｂの先端からの血液等の流出漏れをも阻止できることは云うまでもない。
【００８６】
次に、本発明に係る安全留置針の第６実施例を図１１を参照しながら説明する。尚、理解を容易にするため、前述した第１乃至第５実施例と同一部分は同一符号で示し、構成の異なる処のみを新たな番号を付して以下に説明する。
【００８７】
図１１は、ハウジング１の伸長動作を自動的に行うことができる安全留置針Ｅの説明図であり、図１１(ｂ)に示すように、基体１ｃの外周に付勢部材１１が装着されている。
【００８８】
この付勢部材１１は、コイルバネ等からなり、一端側が第二スライド管１ａ2 の後端に、他端側がルアージョイント７に支持されている。
【００８９】
従って、使用前は、前記ハウジング１の雄螺旋部８をルアージョイント７に螺合して同付勢部材１１を圧縮状態にロックすることができ（図１１(ａ)参照）、使用後は、手指でハウジング１を周方向に回転させて前記ロック状態を解除させれば、付勢部材１１の反発力でスライド管１ａ1 ，１ａ2 が前方へと自動的にスライドするため、片手でも簡単に針３を廃棄保持することができるのである（図１１(ｂ)参照）。
【００９０】
次に、本発明に係る安全留置針の第７実施例を図１２を参照しながら説明する。尚、理解を容易にするため、前述した第１乃至第６実施例と同一部分は同一符号で示し、構成の異なる処のみを新たな番号を付して以下に説明する。
【００９１】
図１２は、ハウジング１の伸長動作を半自動的に行うことができる安全留置針Ｆの説明図であり、一番外側の第一スライド管１ａ1 若しくはフィルターアダプター６に加重部材１２が付設されている。
【００９２】
この加重部材１２は、鉛等の金属やその他の適宜錘からなり、本体を正立及び／又は倒立させた状態で、各スライド管１ａ1 ，１ａ2 が下方に自動的にスライドして、ハウジング１を無駄なく最大限に伸長させるだけの重さに設定（ウエイトコントロール）されている。
【００９３】
従って、本実施例の安全留置針Ｆは、片手（詳しくは、親指と人差指）に持っているハウジング１を上若しくは下に向けるだけの簡単操作で、同ハウジング１を（加重部材の重さで）自然に伸長させることができ、また、各スライド管１ａ1 ，１ａ2 が無駄なく最長状態にまで伸長できることも相俟って、使用済み針３に触れることなく、簡単に廃棄保持できるのである。
【００９４】
尚、本発明の安全留置針Ａ乃至Ｆは、本実施例に限定されることなく、本発明の目的の範囲内で自由に設計変更し得るものであり、本発明はそれらの全てを包摂するものである。例えば、本実施例では、ハウジング１を複数のスライド管１ａ1 ，１ａ2 ，１ａ3 で構成することにより伸縮自在に形成しているが、これに限定されることなく、ハウジング１そのものをゴム等の伸縮性素材で形成したり、その他、蛇腹等の伸縮手段を採用しても良い。
【００９５】
また、シャッター１０，１０の代わりに、マウンテンハブ１ｂを周方向に回動させることにより、固定開孔１ｂ1 が開閉自在となる半閉半開構造（図示せず）を採用しても良いものであり、本発明はこれらの全てを包摂するものである。
【００９６】
【発明の効果】
本発明によれば、ハウジングが、短寸に収縮された際に針先を露呈せしめ、長寸に伸長された際に針全体を収納すべく伸縮自在に形成されていることによって、従来の如き別体の針ガード等が不要となるため、より低コストで、かつ、簡単かつコンパクトに操作できるといった効果を奏するものである。
【００９７】
また、前記ハウジングが、短寸に収縮された際にカテーテルより針を押し出し、長寸に伸長された際に針全体を収容するスライドカバーからなることによって、カテーテルを患者に挿入したままで前記ハウジングと針とを抜き取った後、スライドカバーを伸長させるだけの簡単操作で、使用済みの針を（手に触れることなく）廃棄保持できるといった効果を奏するものである。
【００９８】
更に、前記ハウジングが、少なくとも一以上のスライド管を伸縮自在に抜け止め連結してなることにより、スライド管の数やその摺動ストローク長を調整するだけで、種々な針の長さにも対応できるといった効果を奏するものである。
【図面の簡単な説明】
【図１】本発明に係る安全留置針の第１実施例を示す組立分解斜視図である。
【図２】キャップカバーと外装ケースとを組み付けた状態を示す同安全留置針の斜視図である。
【図３】ハウジングを収縮させた状態を示す同安全留置針の説明図である。
【図４】ハウジングからカテーテルを取り外した状態を示す同安全留置針の斜視図である。
【図５】図５(ａ)はハウジングを最小に収縮させた状態を示す説明図、図５(ｂ)は同ハウジングを最大に伸長させた状態（廃棄保持状態）を示す説明図である。
【図６】ハウジングを最大に伸長させた状態（廃棄保持状態）を示す同安全留置針の縦断面図である。
【図７】本発明に係る安全留置針の第２実施例を示す説明図であり、図７(ａ)はハウジングを最小に収縮させた状態を示す説明図、図７(ｂ)はカテーテルを取り外した状態を示す説明図、図７(ｃ)はハウジングの伸縮差を示す説明図、図７(ｄ)は使用前の安全留置針を示す説明図、図７(ｅ)は第二連結管のみをスライドさせた状態を示す斜視図、図７(ｆ)はハウジングを最大に伸長させた状態（廃棄保持状態）を示す説明図である。
【図８】本発明に係る安全留置針の第３実施例を示す説明図であり、図８(ａ)はハウジングを最小に収縮させた状態を示す説明図、図８(ｂ)はカテーテルとハウジングを取り外した状態を示す説明図、図８(ｃ)はハウジングの伸縮差を示す説明図、図８(ｄ)は針の取付状態を示す説明図、図８(ｅ)はハウジングを最大に伸長させた状態（廃棄保持状態）を示す説明図である。
【図９】本発明に係る安全留置針の第４実施例を示す説明図であり、図９(ａ)はハウジングを最小に収縮させた状態を示す説明図、図９(ｂ)はカテーテルとハウジングを取り外した状態を示す説明図、図９(ｃ)はハウジングの伸縮差を示す説明図、図９(ｄ)は針の取付状態を示す説明図、図９(ｅ)はハウジングを最大に伸長させた状態（廃棄保持状態）を示す説明図である。
【図１０】本発明に係る安全留置針の第５実施例を示す説明図であり、図１０(ａ)はハウジングの伸縮差を示す説明図、図９(ｂ)は連結管の抜止手段を示す説明図、図９(ｃ)は針の取付状態を示す説明図、図９(ｄ)はハウジングを最大に伸長させた状態（廃棄保持状態）を示す説明図、図９(ｅ)はシャッターの開口状態を示す説明図、図９(ｆ)同シャッターの閉口状態を示す説明図である。
【図１１】本発明に係る安全留置針の第６実施例を示す説明図であり、図１１(ａ)は付勢部材に抗してハウジングをルアージョイントにロックした状態（最小状態）を示す説明図、図１１(ｂ)は付勢部材の反発力でハウジングを最大に伸長させた状態（廃棄保持状態）を示す説明図である。
【図１２】本発明に係る安全留置針の第７実施例を示す説明図であり、図１２(ａ)は一番外側の第一連結管に加重部材を取り付けて同安全留置針を倒立状態に伸長させた状態を示す説明図、図１２(ｂ)はフィルターアダプターに加重部材を取り付けて同安全留置針を正立状態に伸長させた状態を示す説明図である。
【符号の説明】
１  ハウジング
１ａ1 第一スライド管
１ａ2 第二スライド管
１ａ3 第三スライド管
１ｂ  マウンテンハブ
１ｂ1 固定開孔
１ｂ2 係合片
１ｂ3 段差部（ロック手段）
１ｃ  基体
１ｃ1 先端部
１ｃ2 操作部
２  カテーテル
２ａ カテーテルハブ
３  針
４  キャップカバー
５  外装ケース
６  フィルターアダプター
７  ルアージョイント
８  雄螺旋部
９  ストッパー
１０  シャッター
１１  付勢部材
１２  加重部材
【図１】
0004383572.tif 000002
【図２】
0004383572.tif 000003
【図３】
0004383572.tif 000004
【図４】
0004383572.tif 000005
【図５】
0004383572.tif 000006
【図６】
0004383572.tif 000007
【図７】
0004383572.tif 000008
【図８】
0004383572.tif 000009
【図９】
0004383572.tif 000010
【図１０】
0004383572.tif 000011
【図１１】
0004383572.tif 000012
【図１２】
0004383572.tif 000013